(57)【要約】【課題】簡易な構造で製造コストの低減可能な引戸の閉鎖装置を提供する。【解決手段】一時固定手段２５は、アーム２１の固定部２１ｂに当接して保持し、所定の開放位置と閉鎖位置との間に戸体１１が存在するとき、一時固定手段２５に固定部２１ｂが保持され、戸体１１が閉鎖され、一時固定手段２５は、第1の壁２５ａと、戸体を開放する側に第２の壁２５ｂと、第1の壁２５ａと第２の壁２５ｂとに挟まれ下方に開口したアーム固定溝２５ｃとを有し、一時固定手段２５の下面には、第２の壁２５ｄより戸体を開放する側に、戸体を閉鎖する側に向けて下がる導入斜面２５ｆが形成され、戸体が開放位置から閉鎖位置へ動かされた際、開放位置Ｏにあるアーム２１の固定部２１ｂが、導入斜面２５ｆに当接しつつ、アーム固定溝２５ｃへと導かれる。【選択図】          図２
2010209679.tif 000002
【特許請求の範囲】
【請求項１】
戸枠（１２）に対して開閉可能に配位された引戸形式の戸体（１１）を、戸体（１１）が所定の開放位置から閉鎖位置まで存在する間を自動閉鎖可能な戸体閉鎖装置において、
戸枠（１２）には閉鎖装置本体（２ａ）が設けられ、
戸体（１１）には、一時固定手段（２５）が設けられ、
上記の閉鎖装置本体（２ａ）には、回動軸（２１ａ）を中心として、戸体（１１）の、
上記自動閉鎖動作が開始する前における開放位置に対応する開放位置（Ｏ）と、戸体（１１）の閉鎖位置に対応する閉鎖位置（Ｃ）との間の範囲内において回動可能なアーム（２１）と、
上記の開放位置（Ｏ）から閉鎖位置（Ｃ）へアーム（２１）が回動するように、アーム（２１）を付勢するための付勢手段（２３）と、
アーム（２１）が開放位置（Ｏ）から閉鎖位置（Ｃ）へと回動する際において、このアーム（２１）の回動動作を減速させるための緩衝手段（２４）とが設けられ、
上記の一時固定手段（２５）は、アーム（２１）の一部である固定部（２１ｂ）を左右方向に不動とするように保持可能なものであり、
戸体（１１）の自動閉鎖が行われる際においては、一時固定手段（２５）に上記の固定部（２１ｂ）が保持され、その状態で付勢手段（２３）の付勢を受けてアーム（２１）が回動し、これにより、戸体（１１）が閉鎖されるものであり、
一時固定手段（２５）は、第1の壁（２５ａ）と、戸体（１１）の開閉方向について第1の壁（２５ａ）よりも戸体（１１）を開放する側に位置する第２の壁（２５ｂ）と、第1の壁（２５ａ）と第２の壁（２５ｂ）とに挟まれるようにして下方に開口したアーム固定溝（２５ｃ）とを有し、
一時固定手段（２５）の下面であって、戸体（１１）の開閉方向について第２の壁（２５ｄ）より戸体（１１）を開放する側に、戸体（１１）を閉鎖する側に向けて下がる導入斜面（２５ｆ）が形成され、戸体が開放位置から閉鎖位置へ動かされた際、開放位置（Ｏ）にあるアーム（２１）の固定部（２１ｂ）が、導入斜面（２５ｆ）に当接しつつ、アーム固定溝（２５ｃ）へと導かれることを特徴とする戸体閉鎖装置。
【発明の詳細な説明】
【技術分野】
【０００１】
本願発明は、引戸形式の戸体を閉鎖するための閉鎖装置に関するものである。
【背景技術】
【０００２】
【特許文献１】特開平１１−２００７０２号公報
【特許文献２】特公昭６１−１０６３１号公報
【０００３】
従来から、引戸の戸体を閉鎖する際に、戸体に加えた力が大きすぎた場合、戸体が支持されている戸枠に対して、戸体が衝突し、衝撃音が発生したり、バウンドしてしまい完全に閉鎖できないことがあった。逆に戸体に加える力が小さすぎた場合、完全に扉が閉まらずに、途中で止まってしまうことがあった。
【０００４】
ここで、戸体を完全に閉鎖するために、ばねなどの付勢手段を備えた閉鎖装置が用いられることがある。
また、強すぎる力を緩和して緩やかに扉を閉じるようにした緩衝装置が設けられることがある。これらの緩衝装置は、衝撃を緩和するためのダンパーやばねを戸体や戸枠に取り付けたものであり、このダンパーなどの作用によって、戸体の急激な動作を緩和するものである。
また、特許文献１に示される緩衝装置のように、エアシリンダによって、同様の作用をなすものも存在している。
【発明の開示】
【発明が解決しようとする課題】
【０００５】
ところが、従来の閉鎖装置にあっては、戸体の全開位置から閉鎖位置までの全過程において、戸体を閉鎖方向に付勢しており、この付勢が人による戸体の閉鎖の動きを妨げる結果を招いていた。また、従来の緩衝装置にあっては、戸体を閉鎖するために戸体に加えられる力が弱い場合、ばねの付勢力や、ダンパーやエアシリンダの作動抵抗によって、戸体が途中で止まってしまい、完全に閉鎖できないことがあった。
【０００６】
ここで、従来の閉鎖装置の一例として、特許文献２に記載の発明「自動閉扉装置」が存在する。これは、扉枠に設けた金具に対して、扉に設けたＬ形レバーが保持されることにより自動的に扉を閉鎖できるものである。このＬ形レバーは、扉に対して回動可能に設けられており、ばねを内蔵した油圧シリンダーであるダッシュポットに接続されていることにより、Ｌ形レバーを減速しつつ回動させることができる。
【０００７】
ところが、この発明に係る閉鎖装置は、ダッシュポットの軸線とＬ形レバーの回動中心との位置関係を途中で転換させ、Ｌ形レバーに対するダッシュポットの引っ張り方向を切り替えることによって、Ｌ形レバーを扉の開放位置と閉鎖位置に対応した位置にそれぞれ固定させるものであるため、機構が複雑となることや、確実に動作させるために、高い工作精度が要求されるという問題があった。
また、ダッシュポットとは、ばねを内蔵した油圧シリンダーであって、この閉鎖装置の専用品として設計する必要があるという問題も有する。
上記の問題より、この特許文献２に記載の閉鎖装置の構造では、製造コストを低減することが困難であった。
【０００８】
ここで、本願発明は、戸体が閉まりきる直前の状態で少しだけ開いている場合に、完全に戸体を閉めるために作用し、大きく開いている場合には戸体を自由状態にしておくことができる閉鎖装置を提供することを課題とする。
また、本願発明は、戸体に加えられた外力が弱い場合であっても、戸体を完全に閉鎖することができ、逆に外力が強い場合には、緩衝して緩やかに閉めることができる引戸の閉鎖装置を提供することを課題とする。
また、本願発明は、簡易な構造とすることにより、製造コストの低減に貢献できる引戸の閉鎖装置を提供することを課題とする。
【課題を解決するための手段】
【０００９】
上記課題を解決するために、本願の請求項１に記載の発明は、戸枠１２に対して開閉可能に配位された引戸形式の戸体１１を、戸体１１が所定の開放位置から閉鎖位置まで存在する間を自動閉鎖可能な戸体閉鎖装置について、次の構成を採るものを提供する。
【００１０】
即ち、戸枠１２には閉鎖装置本体２ａが設けられ、戸体１１には、一時固定手段２５が設けられる。上記の閉鎖装置本体２ａには、回動軸２１ａを中心として、戸体１１の、上記自動閉鎖動作が開始する前における開放位置に対応する開放位置Ｏと、戸体１１の閉鎖位置に対応する閉鎖位置Ｃとの間の範囲内において回動可能なアーム２１と、上記の開放位置Ｏから閉鎖位置Ｃへアーム２１が回動するように、アーム２１を付勢するための付勢手段２３と、アーム（２１）が開放位置（Ｏ）から閉鎖位置（Ｃ）へと回動する際においてこのアーム（２１）の回動動作を減速させるための緩衝手段（２４）とが設けられる。上記の一時固定手段２５は、アーム２１の一部である固定部２１ｂを左右方向に不動とするように保持可能なものであり、戸体１１の自動閉鎖が行われる際においては、一時固定手段２５に上記の固定部２１ｂが保持され、その状態で付勢手段２３の付勢を受けてアーム２１が回動し、これにより、戸体１１が閉鎖されるものである。
【００１１】
一時固定手段２５は、第1の壁２５ａと、戸体１１の開閉方向について第1の壁２５ａよりも戸体１１を開放する側に位置する第２の壁２５ｂと、第1の壁２５ａと第２の壁２５ｂとに挟まれるようにして下方に開口したアーム固定溝２５ｃとを有し、一時固定手段２５の下面であって、戸体１１の開閉方向について第２壁２５ｄより戸体１１を開放する側に、戸体１１を閉鎖する側に向けて下がる導入斜面２５ｆが形成され、戸体が開放位置から閉鎖位置へ動かされた際、開放位置Ｏにあるアーム２１の固定部２１ｂが、導入斜面２５ｆに当接しつつ、アーム固定溝２５ｃへと導かれる。
【発明の効果】
【００１２】
本願の請求項１に記載の発明に係る戸体閉鎖装置にあっては、戸体１１が所定の開放位置に存在する時、つまり戸体１１を閉鎖する過程における戸体１１が閉まりきる直前の状態では、戸体１１を閉鎖するために作用する。
【００１３】
一方、戸体１１が大きく開いている場合には戸体１１を自由状態にしておくことができる。
【００１４】
そして、一時固定手段２５にアーム２１の固定部２１ｂが保持された状態でアーム２１が付勢手段２３の付勢によって回動するため、戸体に加えられた外力が弱い場合であっても、戸体１１を確実に閉鎖することができ、かつ、その際、緩衝手段２４により減速がなされてアーム２１が回動するため、外力が強い場合であっても、戸体１１をゆっくりと安全に閉鎖することができたものである。
【００１５】
特に、導入斜面２５ｆの形成により、閉鎖装置本体２ａと一時固定手段２５との上下のずれを吸収し、アーム２１の固定部２１ｂをスムーズにアーム固定溝２５ｃへと導入させることができる。
【発明を実施するための最良の形態】
【００１６】
以下、図面に基づき本願発明の実施の形態の一例をとりあげて説明する。図１は引戸へ本例の戸体閉鎖装置を取り付けた状態を示す正面図であり、図２〜図６は本例の戸体閉鎖装置の構造及び動作を示す説明図である。
【００１７】
本例の閉鎖装置２は、図２に示すような構造であり、アーム２１、付勢手段２３、ダンパー２４、一時固定手段２５を有する。
【００１８】
そのうち、アーム２１、付勢手段２３、ダンパー２４は、ケーシング２２の内部に設けられており、閉鎖装置本体２ａを構成する。この閉鎖装置本体２ａは、本例においては、戸体１１の上面１１ｂの開口側端面１１ａに近い側に埋め込まれている。なお、戸体１１の上部に戸車を設けた構造の上吊り扉に使用する場合にあっては、戸体１１の上面１１ｂの開口側端面１１ａに近い側には戸車が設けられるため、戸体１１の中央寄りに閉鎖装置本体２ａが設けられる。
なお、本説明において、戸体１１が設けられている戸枠１２とは、戸体１１を左右方向へと移動可能に配位させるためのレールや枠など、戸体１１を支持するものを指し、建築物における引戸の場合では、柱や壁も含むものである。
また、本説明における方向の表現は、理解を容易にするためのものであり、これによって、本願発明が制限して理解されるべきではない。
【００１９】
アーム２１は、上端がケーシング２２から突出するようにして、基端側（図示下端側）に設けられた回動軸２１ａを介し、ケーシング２２に取り付けられている。本例のアーム２１は、対向する２枚の板状体が重ね合わされたものとされている（図示しない）。
このアーム２１は、回動軸２１ａを中心に左右方向の所定範囲内において回動可能となっている。本例においては、このアーム２１の回動範囲の左端が開放位置Ｏ（図２に示した状態）、右端が閉鎖位置Ｃ（図６に示した状態）となり、それぞれ戸体１１の開放位置（本例においては、各図において戸体１１が相対的に右側に移動した状態の位置）と閉鎖位置（本例においては、各図において戸体１１が相対的に左側に移動した状態の位置）とに対応する。つまり、回動軸２１ａの位置を基準として、アーム２１の先端（図示上端）が図示左方にある場合が開放位置Ｏ、同右方にある場合が閉鎖位置Ｃとなる。
なお、アーム２１は、一時固定手段２５との位置関係に応じ、図７に示すように、上記の開放位置Ｏよりもさらに左方にも移動し得るものとされている。
【００２０】
本例において、上記のアーム２１の先端側（図示上端側）には、アーム２１を構成する、対向する２枚の板状体に挟まれるようにして、円筒状の固定部２１ｂが形成されており、この固定部２１ｂが、戸枠１２に設けられた一時固定手段２５、具体的には一時固定手段２５におけるアーム固定溝２５ｃに保持されることによって、戸体１１を自動的に閉鎖することができる。
なお、本例における固定部２１ｂは、軸部２１ｂ１と、軸部２１ｂ１の外側に配位され、この軸部２１ｂ１に対して回動可能とされたローラー部２１ｂ２とを有するものであって、後述するように、固定部２１ｂが一時固定手段２５のアーム固定溝２５ｃに配位された際において、このローラー部２１ｂ２が一時固定手段２５の左方壁２５ａや右方壁２５ｂに対して回動できるため、小さな抵抗で固定部２１ｂが上下動できる。
アーム２１の形状は本例のものに限定されず、例えば、図９〜図１２に示したように、種々の形態での実施が可能である。また、本例においては、アーム２１の上端が固定部２１ｂとされているが、アーム２１の中間など、上端以外の箇所に固定部２１ｂを形成しても良い。
【００２１】
なお、本例においては、付勢手段２３やダンパー２４の動作範囲の関係、及び、閉鎖装置本体２ａをコンパクトにすることを目的として、アーム２１は、図示したように湾曲した形状とされている。具体的には、図２に示した状態において、基端側（図示下端側）から左上方に延びる形態の基端部２１ｘ、そして、基端部２１ｘの先端側へと連続する、アーム２１の動作範囲の外側寄り（図示左側）に湾曲した部分である中間部２１ｙ、そして、中間部２１ｙよりも先端側へと連続し、再び左上方に延びる形態の先端部２１ｚからなるものである。そして、基端部２１ｘには、上記のように回動軸２１ａが設けられる。また、中間部２１ｙには、付勢手段取付部２１ｃを介して後述する付勢手段２３が、そして、ダンパー取付部２１ｅを介して後述するダンパー２４がそれぞれ接続されている。また、先端部２１ｚには、上記の固定部２１ｂが設けられる。
【００２２】
アーム２１には係合部２６ａが設けられる。この係合部２６ａは、本例においては、アーム２１に設けられた凹部である。これは具体的には、アーム２１を構成する、対向して設けられた２枚の板状体に挟まれるように配位された、樹脂製の係合片２６に設けられた凹部である。なお、係合部２６ａの形状は、後述するアーム位置保持手段（板ばね）２７の湾曲部２７ａと一致するものとされている。また、本例の係合片２６は、アーム２１とは別の部材とされているが、アーム２１と当初から一体にされたものや、アーム２１の一部が折り曲げられて形成されたものであっても良く、種々に変更して実施し得るものであり、下記のアーム位置保持手段２７と係合し、アーム２１の位置を保持可能なものであれば良い。
【００２３】
一方、上記の係合部２６ａに対応するものとして、ケーシング２２にはアーム位置保持手段２７が設けられている。このアーム保持手段２７は、図２に示すように、アーム２１が開放位置Ｏにある時に、アーム位置保持手段２７の一部である湾曲部２７ａがアーム２１の係合部２６ａに係合し、アーム２１の位置を開放位置Ｏのまま保持することができるものである。
【００２４】
アーム位置保持手段２７は、本例では板ばね２７とされており、基端側（図示下端側）がケーシング２２に固定されたものである。このケーシング２２に対する板ばね２７の固定位置は、アーム２１の動作範囲において、開放位置Ｏよりも外側（図示左側）である。
この板ばね２７は、アーム２１に向かうように突出して形成された湾曲部２７ａを有する。本例における具体的な板ばね２７の形状は、図２に示すように、アーム２１が開放位置Ｏにある場合において、ケーシング２２の図示左下方に対して固定された部分から、まず図示右上方へと延び、その先端側において、一度右方に曲げられた後に、左上方へと折り返されたものであり、この折り返された部分が湾曲部２７ａとなる。そして、この湾曲部２７ａは、図２に示すように、上記のアーム２１に形成された凹部である係合部２６ａと係合可能とされている。
板ばね２７は、図５に示すように、アーム２１と係合していない状態では、ケーシング２２に設けられた板ばねストッパー２２ｃと当接した状態となっているが、図２に示すように、アーム２１が開放位置Ｏにある状態では、アーム２１により押し上げられて、板ばねストッパー２２ｃから離れた状態に変形する。そしてこの時、アームの係合部２６ａと板ばね２７の湾曲部２７ａとが係合した状態となる。板ばね２７は上記のように変形したことにより付勢力が発生するため、アーム２１を開放位置Ｏで確実に保持することができる。なお、板ばね２７の上記の付勢力の方向は、アーム２１の回動方向と交差する方向であれば良いが、アーム２１の回動方向である円弧の開放方向寄りに付勢がなされる方が、アーム２１と板ばね２７との係合状態が外れにくいため望ましい。
【００２５】
なお、本例においては、図２に示すように、アーム２１が開放位置Ｏにある時、アーム２１の回動軸２１ａと付勢手段２３の中心を通る仮想の軸とが上下方向にほぼ一致している。そのため、この状態のアーム２１は、付勢手段２３によって付勢されていない中立状態にあって、アーム２１には板ばね２７の付勢力のみがかかっている。よって上記のようになされた、板ばね２７の湾曲部２７ａとアーム２１の係合部２６ａとの係合は、戸体１１の移動に伴って、アーム２１の固定部２１ｂが一時固定手段２５の左方壁２５ａに当接するまでは（図４参照）、他の外力がかからない限り外れにくい。
【００２６】
上記の位置保持部２６ａとアーム位置保持手段２７の各々の形態は、アーム２１を開放位置Ｏに保持できるものであれば、本例のものに限定されるものではなく、種々に変更して実施し得る。例えば、図９に示すように、アーム位置保持手段２７を、一端には当接部２７ｂ、他端には引掛部２７ｃを有し、当接部２７ｂと引掛部２７ｃとの間が、閉鎖装置本体２ａに回動可能に支持された支点２７ｄとされたものであって、この当接部２７ｂ、引掛部２７ｃ、支点２７ｄが三角形の位置関係にある略Ｖ字形とされたものとし、アーム２１が開放位置Ｏにある時に、引掛部２７ｂがアーム２１の位置保持部２１ｄを引掛け、アーム２１の位置を保持することができるものとしても良い。
また、図１０（Ａ）に示すように、位置保持部２１ｅをアーム２１の左側に突出するようにして設けられた、嵌合凸部２１ｅ１を備えた板状のものとし、アーム位置保持手段２７を、位置保持部２１ｅの嵌合凸部２１ｅ１と接する部分に嵌合凹部２７ｅを設け、アーム２１が開放位置Ｏにある時、アーム２１の嵌合凸部２１ｅ１とアーム位置保持手段２７の嵌合凹部２７ｅとが図１０（Ｂ）に示すように嵌合することにより、付勢手段２３の付勢に抗して、アーム２１の位置がそのまま保持されるものとしても良い。他に、アーム位置保持手段２７を、磁石を備えたものとし、アーム位置保持手段２７に対して磁力でアーム２１の一部を吸着させてアーム２１を保持するものとしても良い。
【００２７】
付勢手段２３は、回動軸２１ａを中心としてアーム２１が開放位置Ｏから閉鎖位置Ｃへ向かい回動するように付勢するものである。本例においては、この付勢手段２３としてコイルばねが用いられており、引張力を利用して付勢がなされる。この付勢手段２３の一端側２３ａは、ケーシング２２に対して取り付けられており、他端側２３ｂは、アーム２１の付勢手段取付部２１ｃに取り付けられる。
本例では、図２に示すように、この付勢手段取付部２１ｃが、アーム２１の基端寄りに設けられたものであるが、アーム２１に対する付勢手段２３の取り付け方については、本例のものに限られるものではない。例えば、図９〜図１１に示したものは、付勢手段取付部２１ｃをアーム２１の先端寄りに設けたものである。また、図１２に示したものは、付勢手段取付部２１ｃを回動軸２１ａよりも基端（図示下端）側に設けたものであるが、本例とは逆に、付勢手段２３をアーム２１の図示左側に設けたものである。このように、種々に変更して実施し得る。
また、付勢手段２３は本例のようなコイルばねに限られるものではなく、例えば、回動軸２１ａに取り付けられた渦巻ばねなど、他の種類のばねや、ゴムなどの弾性を有する樹脂を用いても良く、取り付ける場所も限定されるものではない。また、本例とは逆に、ばねの圧縮力を利用するものとしても良い。
また、図８に示すように、付勢手段２３の一端側に位置調整手段２８を設けることにより、付勢手段２３の有する引張力や圧縮力を可変としても良い。図示したものは、プレート２８ａを介してコイルばね２３が取り付けられたものであり、このプレート２８ａをボルト２８ｂと、これに螺合するナット２８ｃによりケーシング２２に対するコイルばね２３の変位を調整可能としたものである。こうすることによって、アーム２１の移動速度を調整でき、これに応じ、戸体１１の閉鎖速度を調整することができる。
【００２８】
ダンパー２４は、アーム２１が開放位置Ｏから閉鎖位置Ｃへ向かう方向へと回動する際に、アーム２１の動作を減速させるための緩衝手段である。本例においては、ダンパー２４として直動式のダンパーが用いられており、アーム２１における、上記の付勢手段取付部２１ｃよりも先端側に位置するダンパー取付部２１ｅに、ダンパー２４に設けられた可動棒２４ａの先端が接続されており、アーム２１とダンパー２４との間で力の伝達がなされる。なお、本例におけるダンパー取付部２１ｅは、回動軸２１ａから比較的近い位置であって、回動軸２１ａから遠い位置に設けた場合よりもダンパー当接部２１ｅの移動距離が比較的小さくできるため、動作範囲（可動棒２４ａの移動範囲）の小さなダンパー２４を利用することができる。
【００２９】
後述するように、アーム２１の先端である固定部２１ｂが、図４に示すように、戸枠１２に設けられた一時固定手段２５のアーム固定溝２５ｃに保持された状態とされ、アーム２１が付勢手段２３に引っ張られるように付勢されることにより、アーム２１が閉鎖位置Ｃへ向かい移動する。この際、まず固定部２１ｂが図５に示すように、アーム固定溝２５ｃの奥側（図示上方）まで移動し、その状態から図６に示す状態まで、閉鎖装置本体２ａが取り付けられた戸体１１が戸枠１２に沿って移動して閉鎖される。そしてこの閉鎖時において、アーム２１の開放位置Ｏ（図示左方）から閉鎖位置Ｃ（同右方）へ至るまでの回動動作がダンパー２４の緩衝作用によって減速されるため、戸体１１の移動も減速され、戸体１１の端面１１ａが戸枠１２の端面１２ａに対して急に衝突することがなく、確実に閉鎖することができる。また、ダンパー２４によりアーム１２が急激に移動することがないため、戸枠１２に対して戸体１１がバウンドしてしまうこともない。
【００３０】
本例では、図２に示すように、ダンパー当接部２１ｅが、アーム２１の基端部２１ｘにおける、付勢手段取付部２１ｃよりも先端側に隣り合うようにして設けられたものであるが、アーム２１に対するダンパー２４の取り付け方については、本例のものに限られるものではない。例えば、図９〜図１１に示すように、可動棒２４ａが、アーム２１とは直接連結されておらず、アーム２１の一部に当接することで力の伝達がなされるようなものとしても良い。また、図１２に示すように、ダンパー当接部２１ｅをアーム２１の先端側に設け、このダンパー当接部２１ｅに可動棒２４ａを連結したものとしても良い。また、ギアやリンクなどを介してアーム２１に対して間接的に連結したものであっても良く、種々に変更して実施し得る。また、上記の付勢手段２３と同様、このダンパー２４についても、緩衝能力を調整可能としておくことにより、戸体１１の閉鎖速度を調整することができる。
【００３１】
本願発明において用いられるダンパー２４は、アーム２１に連結されてアーム２１の動作を減速させるものであれば、どのような形態のものであっても良い。例えば、ダンパー２４として円形のもの（回転ダンパー）を、回動軸２１ａが中心となるようにアーム２１に直接取り付けても良い。
また、ダンパー２４は、アーム２１が左右いずれの方向に動作する場合でも緩衝作用を発揮するものであっても良いし、あるいは、ワンウェイクラッチが内蔵されたものとし、アーム２１が閉鎖位置Ｃへと（右方に）移動する際においては減速がなされ、開放位置Ｏへと（左方に）移動する際においては減速しないものであっても良い。
【００３２】
一時固定手段２５は、本例においては戸枠１２に取り付けられた金具であり、アーム２１を戸枠１２に対して一時的に固定するためのものである。本例においては、図２に示すように、左方壁２５ａと右方壁２５ｂとに挟まれるようにして、下方に開口したアーム固定溝２５ｃを有するものとされている。
また、この一時固定手段２５の下面であって、アーム固定溝２５ｃの図示右側に形成された右下方壁２５ｄは、同じくアーム固定溝２５ｃの図示左側の下面である左下方壁２５ｅよりも高い位置に形成されている。これは、図３に示すように、右下方壁２５ｄの下方をアーム２１の固定部２１ｂが通過し、アーム固定溝２５ｃへと導入されるためである。なお、右下方壁２５ｄの下方をアーム２１の固定部２１ｂが通過する際、固定部２１ｂは、本例では図３に示すように、右下方壁２５ｄに当接するが、これに限らず、隙間を保つようにしても良い。また、本例では、閉鎖装置本体２ａと一時固定手段２５との上下のずれを吸収し、アーム２１の固定部２１ｂをスムーズにアーム固定溝２５ｃへと導入させることができるように、右下方壁２５ｄの図示右方側に、図示右上がりの導入斜面２５ｆが形成されている。図７は、閉鎖装置本体２ａと一時固定手段２５とが、図２に示したものよりも上下方向に接近して配位された場合を示しており、破線で図示したように、開放位置Ｏにあるアーム２１の固定部２１ｂが、導入斜面２５ｆに当接しつつ、アーム固定溝２５ｃへと導かれる。
【００３３】
ここで、図７に示すように、閉鎖装置本体２ａと一時固定手段２５とが、図２に示したものよりも上下方向に接近して配位された場合、一時固定手段２５の右下方壁２５ｄにアーム２１の固定部２１ｂが当接しつつ、アーム２１が図示左方に移動する際において、アーム２１は通常の開放位置Ｏよりも左方に移動させられる。よって、ダンパー２４の可動棒２４ａが、図２に示された状態に比べ、より引き出されることとなる。この可動棒２４ａが限界を超えて引き出されようとすると、ダンパー２４が故障する原因となる。そのため、ケーシング２２には開放側ストッパー２２ａが設けられており、アーム２１の一部がこの開放側ストッパー２２ａに当接することにより、アーム２１がそれ以上移動することを防止している。本例においては、ケーシング２２のうち、図示左側の一部が開放側ストッパー２２ａを兼ねるものとされているが、ケーシング２２とは他の部材を設けたものとしても良い。
また、上記と同様にして、アーム２１が通常の閉鎖位置Ｃよりも図示右方に移動し、ダンパー２４が故障することのないように、閉鎖側ストッパー２２ｂが設けられている。本例では、ケーシング２２の図示右上方部分が図示左側へと延ばされており、その先端部分が閉鎖側ストッパー２２ｂを兼ねるものとされている。
【００３４】
次に、戸体１１の開閉動作に伴う、閉鎖装置２の動作について述べる。
戸体１１が開放位置から閉鎖位置へと移動するに伴い、アーム２１は、図２に示された状態から、図３に示されたような、一時固定手段２５の右下方壁２５ｄにアーム２１の固定部２１ｂが当接した状態を経て、図４に示すように、固定部２１ｂが一時固定手段２５のアーム固定溝２５ｃに配位された状態となる。ここで、閉鎖装置本体２ａが設けられた戸体１１はさらに閉鎖位置（図示左方）に移動しようとするため、アーム２１の固定部２１ｂは一時固定手段２５の左方壁２５ａに衝突することとなる。これにより、板ばね２７の湾曲部２７ａとアーム２１の係合部２６ａとの係合が外れる。更に、戸体１１の図示左方への移動によって、アーム２１が閉鎖位置Ｃの側（図示右方）に移動する。この状態で、アーム２１の回動軸２１ａよりも付勢手段２３の中心を通る仮想の軸が上方に移動するため、付勢手段２３の付勢力がアーム２１に働き、アーム２１が開放位置Ｏから閉鎖位置Ｃへ向かい回動を開始する。このアーム２１の回動の際、固定部２１ｂは、一時固定手段２５の左方壁２５ａと右方壁２５ｂとに挟まれた状態となって、左右方向には不動で、上下方向にのみ移動が可能となる。これにより、固定部２１ｂが一時固定手段２５に保持されたまま、具体的には、右方壁２５ｂに当接したままで、図４から図５に示す状態となるように、アーム２１が回動することとなる。つまり、この右方壁２５ｂは、アーム２１の固定部２１ｂを支持するための支点部として理解できる。
このアーム２１の回動に伴い、閉鎖装置本体２ａが設けられた戸体１１が図示左方に移動して戸体１１を閉鎖することができる（図６参照）。上記のアーム２１の回動は、付勢手段２３の付勢力及びダンパー２４の緩衝作用を受けつつ、閉鎖位置Ｃまで自動的になされるため、戸体１１を閉鎖するために加えられた外力が弱い場合であっても、アーム２１を確実に閉鎖位置Ｃまで回動させて、戸体１１を完全に閉鎖することができる。
【００３５】
一方、上記とは逆に戸体１１を開放する際においても、戸体１１の閉鎖位置から開放に至る途中の位置までは、上記と同様にして、一時固定手段２５がアーム２１の固定部２１ｂを保持したままの状態を維持する。そのため上記とは逆に、固定部２１ｂが一時固定手段２５の左方壁２５ａに当接した状態で、戸体１１の開放方向への移動に伴なってアーム２１が閉鎖位置Ｃ（図示右方）から開放位置Ｏ（図示左方）へと回動する（図６から図５を経て図４に至る状態）。ここで、板ばね２７の湾曲部２７ａとアーム２１の係合部２６ａとが係合し、アーム２１が、図２に示した当初の状態で固定される。なお、この状態では、既に説明したように、アーム２１の回動軸２１ａと付勢手段２３の中心を通る仮想の軸とがほぼ一致しているため、アーム２１は付勢手段２３によって付勢されていない中立状態にあって、この板ばね２７の湾曲部２７ａとアーム２１の係合部２６ａとの係合だけで、アーム２１が元に戻ってしまうことを防止できる。
そしてアーム２１は、図４に示すように左方まで移動した状態で、固定部２１ｂが一時固定手段２５の右下方壁２５ｄと当接しつつ（図３の状態）、一時固定手段２５の右方に移動し、戸体１１が開放される。
【００３６】
なお、図７に示すように、閉鎖装置本体２ａと一時固定手段２５とが、図２に示したものよりも上下方向に接近して配位された場合は、既に述べたように、一時固定手段２５の右下方壁２５ｄにアーム２１の固定部２１ｂが当接する際に、アーム２１が通常の開放位置Ｏ（図３参照）よりも、さらに左方に移動させられる。この際、アーム２１の回動軸２１ａよりも付勢手段２３の中心を通る仮想の軸が下方となるため、付勢手段２３の付勢力はアーム２１に対して、左側へ回動させるように働く。また、板ばね２７の湾曲部２７ａはアーム２１の係合部２６ａから外れた状態で、係合片２６に板ばね２７が当接する。
ここで、付勢手段２３の付勢力よりも板ばね２７のアーム２１に対する付勢力が勝る場合にあっては、板ばね２７の付勢力は、上記の係合片２６との位置関係により、図示右方へと働く。よって、図２に示したように、アーム２１と一時固定手段２５とが当接しなくなった際、アーム２１が通常の開放位置Ｏに戻った状態とされ、板ばね２７の湾曲部２７ａとアーム２１の係合部２６ａとが係合する。この場合、アーム２１の固定部２１ｂは、図７に破線で示したように、一時固定手段２５の導入斜面２５ｆに沿うように移動して、
アーム２１が図示左方に行き過ぎた状態から開放位置Ｏへと戻る。
なお、上記とは逆に、板ばね２７の付勢力よりも付勢手段２３の付勢力が勝る場合は、板ばね２７の湾曲部２７ａが、アーム２１の係合部２６ａとの係合が外れた状態のまま維持されてしまうが、この状態であっても、付勢手段２３がアーム２１を図示左方へと付勢し続けるため、実用上は差し支えない。
【００３７】
本願発明は、本例の形態に限られず、種々に変更して実施が可能である。
本例においては、戸体１１に閉鎖装置本体２ａを設け、戸枠１２に一時固定手段２５を設けたものとしたが、これとは逆に、戸体１１に一時固定手段２５を設け、戸枠１２に閉鎖装置本体２ａを設けたものとしても良い。
また、戸体１１の戸枠１２に対する閉鎖位置及び開放位置は、場合により種々に変更して設定が可能である。よって、閉鎖時において、図６に示すような、戸体１１が全閉状態となるようにせずに、所定の隙間を保ったまま閉鎖されるように設定しても良い。
また、戸体１１は、下部に戸車を有するものであっても良いし、上部に戸車を有するものであり、この戸車で戸体１１を吊り下げる形態のものであっても良い。
【００３８】
また、この閉鎖装置２を戸体１１に対して取り付ける際において、本例のように、閉鎖装置本体２ａが戸体１１に埋め込まれたものに限られず、戸体１１の表面に取り付けられたものとしても良く、閉鎖装置２の無い通常の戸体１１に対して、後付改造により、この閉鎖装置２を容易に取り付けることも可能である。
【図面の簡単な説明】
【００３９】
【図１】引戸へ本例の閉鎖装置を取り付けた状態を示す正面図である。
【図２】本例の戸体閉鎖装置の構造及び動作を示す、正面視説明図である。
【図３】本例の戸体閉鎖装置の構造及び動作を示す、正面視説明図である。
【図４】本例の戸体閉鎖装置の構造及び動作を示す、正面視説明図である。
【図５】本例の戸体閉鎖装置の構造及び動作を示す、正面視説明図である。
【図６】本例の戸体閉鎖装置の構造及び動作を示す、正面視説明図である。
【図７】本例の戸体閉鎖装置において、閉鎖装置本体と一時固定手段とが上下方向に接近している場合を示す正面視説明図である。
【図８】本願発明の他の実施例を示す説明図である。
【図９】本願発明の他の実施例を示す説明図である。
【図１０】（Ａ）は本願発明の他の実施例を示す説明図であり、（Ｂ）は（Ａ）のＡ−Ａ断面図である。
【図１１】本願発明の他の実施例を示す説明図である。
【図１２】本願発明の他の実施例を示す説明図である。
【符号の説明】
【００４０】
１１    戸体
１２    戸枠
２ａ    閉鎖装置本体
２１    アーム
２１ａ  回動軸
２１ｂ  固定部
２２ａ  開放側ストッパー
２２ｂ  閉鎖側ストッパー
２３    付勢手段
２４    緩衝手段、ダンパー
２５    一時固定手段
２６ａ  係合部
２７    アーム位置保持手段
２７ａ  湾曲部
Ｃ      アームの閉鎖位置
Ｏ      アームの開放位置
【図１】
2010209679.tif 000003
【図２】
2010209679.tif 000004
【図３】
2010209679.tif 000005
【図４】
2010209679.tif 000006
【図５】
2010209679.tif 000007
【図６】
2010209679.tif 000008
【図７】
2010209679.tif 000009
【図８】
2010209679.tif 000010
【図９】
2010209679.tif 000011
【図１０】
2010209679.tif 000012
【図１１】
2010209679.tif 000013
【図１２】
2010209679.tif 000014